(57)【要約】【課題】屋外用照明器具において、少なくとも１つの光源を用いて低コストな構成でありながら、歩行者や運転手に器具の存在を十分に視認させるように照明し、しかも、車両等の衝突に伴う光源の破損を防止する。【解決手段】照明器具１は、光源２と、光源２を収容する筐体３と、筐体３の光出射用の開口３１に取り付けられる柱状キャップ４とを備え、筐体３が地面Ｇに起立して設けられる。柱状キャップ４は、中空の透光性及び可撓性を有した部材により構成されている。光源２から出射された光は柱状キャップ４の内部に入射し、キャップ４を透過して器具外に広範囲に照射され、器具１の存在を十分に視認させる照明を行うことができる。また、器具１に車両等が衝突したとしても、柱状キャップ４の可塑性により光源２を衝撃から保護することできる。【選択図】図２
2011090921.tif 000002
【特許請求の範囲】
【請求項１】
光源と、前記光源を収容する筐体とを備えた屋外用照明器具であって、
前記筐体の光出射用の開口に、中空の透光性及び可撓性を有した部材により構成された柱状キャップが取り付けられていることを特徴とする屋外用照明器具。
【請求項２】
前記柱状キャップは、中空内部と外部とを連通する光出射用のスリットを有していることを特徴とする請求項１に記載の屋外用照明器具。
【発明の詳細な説明】
【技術分野】
【０００１】
本発明は、道路や公園施設等で用いられる屋外用照明器具に関する。
【背景技術】
【０００２】
従来より、道路や公園施設等において、歩道と車道とを区分したり、車両の進入を規制するために、路面上に柱状構造物が設置されている。この柱状構造物として、車両が衝突した場合でも車両に損傷を与えることがないように、本体胴部をゴム等の弾性部材により構成し、さらに歩行者や運転手等が夜間においても存在を視認できるように、光源を本体胴部に備えたものがある（例えば、特許文献１参照）。
【先行技術文献】
【特許文献】
【０００３】
【特許文献１】特開平８−８１９２３号公報
【発明の概要】
【発明が解決しようとする課題】
【０００４】
しかしながら、上述したような従来の技術では、本体胴部の外周面に複数の光源を埋設する構成であることから、部品点数が多くなり、コストアップを招来していた。また、光源が本体胴部から露出するので、車両等の衝突によって破損する虞がある。
【０００５】
本発明は、上記問題を解決するためになされたものであり、少なくとも１つの光源を用いて低コストな構成でありながら、歩行者や運転手に器具の存在を十分に視認させるように照明することができ、しかも、車両等の衝突に伴う光源の破損を防止できる屋外用照明器具を提供することを目的とする。
【課題を解決するための手段】
【０００６】
上記目的を達成するために請求項１の発明は、光源と、前記光源を収容する筐体とを備えた屋外用照明器具であって、前記筐体の光出射用の開口に、中空の透光性及び可撓性を有した部材により構成された柱状キャップが取り付けられているものである。
【０００７】
請求項２の発明は、請求項１に記載の発明において、前記柱状キャップは、中空内部と外部とを連通する光出射用のスリットを有しているものである。
【発明の効果】
【０００８】
請求項１の発明によれば、光源から出射された光は柱状キャップの内部に入射し、該キャップを透過して器具外に広範囲に照射されるので、光源を複数設けなくとも、歩行者や運転手に器具の存在を十分に視認させるように照明できる。また、器具に車両等が衝突したとしても、柱状キャップの可撓性により光源を衝撃から保護することができ、ひいては、車両への損傷を防止できる。
【０００９】
請求項２の発明によれば、光源から柱状キャップ内に入射した光がスリットから出射されるので、本器具から照射される光の強度が高くなる。
【図面の簡単な説明】
【００１０】
【図１】本発明の一実施形態に係る屋外用照明器具の斜視図。
【図２】上記照明器具の断面図。
【図３】上記照明器具の変形例を示す斜視図。
【図４】上記照明器具の他の変形例を示す斜視図。
【図５】上記照明器具のさらに他の変形例を示す斜視図。
【発明を実施するための形態】
【００１１】
本発明の一実施形態に係る屋外用照明器具について図１及び図２を参照して説明する。図１、図２は本実施形態に係る屋外用照明器具（以下、照明器具という）１の構成を示す。本照明器具１は、道路や公園施設等に設けられる柱状の弾性構造物であり、ＬＥＤから成る光源２と、光源２を収容する筐体３と、筐体３の光出射用の開口３１に取り付けられる柱状キャップ４とを備え、筐体３が地面Ｇに起立して設けられる。
【００１２】
光源２は、筐体３の開口３１の近傍に配置されており、筐体３から柱状キャップ４を取り外すことにより光源２の交換が容易に行えるようになっている。光源２は、筐体３内に配された点灯装置５と接続されており、例えば、夜間になると自動的に点灯する。点灯装置５は、電源線６により商用電源と接続される。
【００１３】
筐体３は、断面円形の柱状体であって、その上端側に光源２及び点灯装置５の収容空間を有し、基端側が地面Ｇに埋入される。筐体３は、ブラケットを用いて地面Ｇに立設するようにしてもよい。筐体３は、可塑性を有した部材により構成され、外部からの衝撃が加わったときにその衝撃に応じて変形することで光源２を保護するようになっている。筐体３に用いる可撓性部材としては、例えば、ゴム材が挙げられ、外光による筐体３内部の温度上昇を防止できるように光不透過なものが好ましい。なお、筐体３は、その表層部分のみを高弾性な部材により構成したものであってもよい。
【００１４】
柱状キャップ４は、断面円形の中空柱状体であってその高さが比較的長尺とされている。例えば、器具全体の高さが４５０ｍｍ、柱状体の外径が１６０ｍｍ程度である。柱状キャップ４は、透光性及び可撓性を有した部材、例えば、透明度の高いシリコーンゴムにより構成されている。柱状キャップ４は、中空内部と外部とを連通する光出射用のスリット４１を有している。スリット４１は、柱状キャップ４の長手方向に沿って形成され、柱状キャップ４の全周に渡って複数配されている。スリット４１は、上記構成に限られず、柱状キャップ４の周方向に沿って複数形成されたものであってもよい。
【００１５】
上記のような照明器具１において、光源２から出射された光は、筐体３の開口３１から柱状キャップ４の内部に入射され、柱状キャップ４を透過し又は柱状キャップ４のスリット４１を通って、器具外に照射される。このとき、柱状キャップ４は、その基端側から先端側にかけてグラデーション調にて発光される。柱状キャップ４に車両等が衝突して衝撃が加わっても、柱状キャップ４は図２の破線に示すように撓んで、衝撃は和わらげられる。
【００１６】
このように本実施形態に係る屋外用照明器具１によれば、光源２から出射された光は柱状キャップ４の内部に入射し、キャップ４を透過して器具外に広範囲に照射される。従って、光源２を複数設けなくとも、歩行者や運転手に器具１の存在を十分に視認させるように照明でき、本器具１を路面設置用の弾性構造物として有効に利用できる。また、器具１に車両等が衝突したとしても、柱状キャップ４及び筐体３の可撓性により光源２を衝撃から保護することができ、ひいては、車両への損傷を防止できる。また、光源２から柱状キャップ４内に入射した光がスリット４１から出射されるので、本器具１の発光強度が向上する。
【００１７】
本発明は、上記実施形態の構成に限られず、発明の趣旨を変更しない範囲で種々の変形が可能である。例えば、図３に示すように、筐体３の高さ寸法を大きくし、高さ寸法を小さく設定した柱状キャップ４が器具１先端部分に配置されるようにしたものであってもよい。この例では、筐体３の高さ寸法が大きいことから、筐体３自体が可塑性部材で成ることが必要となる。また、図４に示すように、筐体３及び柱状キャップ４を略直方形の部材でもって構成し、器具外観を四角柱状にしてもよい。また、図５に示すように、光源２とは別に、柱状キャップ４内の先端側に光源７を設け、本器具１の発光強度を向上するようにしてもよい。
【００１８】
なお、上記実施形態に示したように、柱状キャップ４だけでなく、筐体３が可塑性を有した部材で成ることにより、光源２を衝撃から保護する効果は顕著となるが、筐体３が可塑性を有していない部材であっても、少なくとも柱状キャップ４が可塑性を有する部材であれば、衝撃を和らげる一応の効果が得られる。また、上記実施形態では、柱状キャップ４が中空であって、かつスリット４１を有するものを示したが、中空であって、スリット４１を有していないものであっても構わない。
【符号の説明】
【００１９】
１  屋外用照明器具
２  光源
３  筐体
３１  開口
４  柱状キャップ
４１  スリット
Ｇ  地面
【図１】
2011090921.tif 000003
【図２】
2011090921.tif 000004
【図３】
2011090921.tif 000005
【図４】
2011090921.tif 000006
【図５】
2011090921.tif 000007